(57)【要約】【課題】電線絶縁カバーの取付けにおける、カバー溝部を有する電線絶縁カバー本体と、相色別するため電線絶縁カバー本体に直接取付け可能な相色別部材と、当該相色別部材の取付けに専用工具を必要とせず、間接活線工具を共用して容易に取付け可能な施工方法とを提供する。【解決手段】電線絶縁カバーは、電線絶縁カバー本体３０と相色別部材１０とを有し、相色別部材１０は、それぞれ複数の種類に識別可能に着色された筒型本体１２を有し、筒型本体１２の長手方向には開口部１４を有し、開口部１４の両端には電線絶縁カバー本体３０をくわえ込むためのガイド部１６を有し、ガイド部１６と反対側の筒型本体１２の表面には間接活線工具用バンド１８を有し、電線絶縁カバー本体３０は、相色別部材１０により把持されるカバー溝部を有し、間接活線工具４０により電線絶縁カバー本体３０が架空電線の接続部に取付けられ、且つ、相色別部材１０が電線絶縁カバー本体３０のカバー溝部３２に取付けられる。【選択図】      図１
2011193640.tif 000002
【特許請求の範囲】
【請求項１】
間接活線工法における架空電線の接続部に間接活線工具により取付けられる電線絶縁カバーにおいて、交流の各相の識別を容易にするための電線絶縁カバーであって、
前記電線絶縁カバーは、電線絶縁カバー本体と相色別部材とを有し、
前記相色別部材は、それぞれ複数の種類に識別可能に着色された筒型本体を有し、前記筒型本体の長手方向には開口部を有し、前記開口部の両端には前記電線絶縁カバー本体をくわえ込むためのガイド部を有し、前記ガイド部と反対側の前記筒型本体の表面には間接活線工具用バンドを有し、
前記電線絶縁カバー本体は、前記相色別部材の前記ガイド部が接触して通過した後、前記相色別部材により把持されるカバー溝部を有し、
前記間接活線工具により前記電線絶縁カバー本体が前記架空電線の接続部に取付けられ、且つ、前記相色別部材が前記電線絶縁カバー本体の前記カバー溝部に取付けられることを特徴とする電線絶縁カバー。
【請求項２】
間接活線工法における架空電線の接続部に間接活線工具により取付けられる電線絶縁カバーであって、交流の各相の識別を容易にするための電線絶縁カバーを取付ける施工方法において、
前記電線絶縁カバーは、電線絶縁カバー本体と相色別部材とを有し、
前記相色別部材は、それぞれ複数の種類に識別可能に着色された筒型本体を有し、前記筒型本体の長手方向には開口部を有し、前記開口部の両端には前記電線絶縁カバーをくわえ込むためのガイド部を有し、前記ガイド部と反対側の前記筒型本体の表面には間接活線工具用バンドを有し、
前記電線絶縁カバー本体は、前記相色別部材の前記ガイド部が接触して通過した後、前記相色別部材により把持されるカバー溝部を有し、
前記間接活線工具により前記電線絶縁カバー本体が前記架空電線の接続部に取付けられるステップと、
前記間接活線工具用バンドにより前記相色別部材を前記間接活線工具にセットするステップと、
前記ガイド部を前記電線絶縁カバー本体の前記カバー溝部に合わせるステップと、
前記間接活線工具により前記相色別部材を押付け、前記ガイド部をより開口させて、前記電線絶縁カバーをくわえ込むステップと、
前記相色別部材が前記架空電線を完全にくわえ込むと、前記間接活線工具を前記間接活線工具用バンドから引き抜くステップと、
を有することを特徴とする電線絶縁カバーの施工方法。
【発明の詳細な説明】
【技術分野】
【０００１】
本発明は、間接活線工法における架空電線の接続作業において、接続部に電線絶縁カバーを取付ける工程において、交流の各相の識別を容易にするための電線絶縁カバーの相色別部材に係り、詳しくは、電線絶縁カバーを相色別するための電線絶縁カバー本体と相色別部材及びその施工方法に関する。
【背景技術】
【０００２】
電力用架空電線の架設工事における間接活線工法において、架空電線の接続作業が終了すると、その接続部には絶縁保護のための電線絶縁カバーが取付けられる。そして、３相交流の各相の識別を容易にするため、これら電線絶縁カバー取付け工程には、色表示を行う作業が含まれる。従来は、カバー本体が同色であるため、カバー近傍の電線にビニルテープ等を巻きつける作業を行うことにより、相色別が可能となっていた。
【０００３】
図４は、従来の相色別を示す相色別施工斜視図である。交流電力を供給する各相の架空電線２０の接続部は、絶縁保護のための電線絶縁カバー本体３０が取付けられ、電線引留具６０と電線絶縁カバー本体３０との間の架空電線２０には、相色別のためのビニルテープ５０が巻き付けられている。
【０００４】
図５は、テープ巻付け工具による巻付け工法を示す図である。テープ巻付け工具７０は、間接活線工法時の感電を避けるための長尺の絶縁棒７２の先端に、ビニルテープ５０を架空電線２０に巻き付けるための回転ヘッド７１を有し、手元にビニルテープ５０を巻き付けるための回転力を供給する回転駆動部７３を有している。
【０００５】
テープの巻付けは、テープ巻付け工具７０の回転ヘッド７１にビニルテープ５０をセットし、架空電線２０にビニルテープ５０の先端を合わせ、例えば釣竿のリール形状の回転駆動部７３のハンドルを回転させて、ビニルテープ５０に回転力を伝達する。ビニルテープ５０は、架空電線２０を中心に回転して、必要回数だけ架空電線２０に巻き付いた後、カットされる。このように、相色別作業のために、専用の工具であるテープ巻付け工具７０を必要とする、また、長尺の絶縁棒７２の先端に、重い回転ヘッド７１があるため、巻付けの作業負担が大きいという問題があった。
【０００６】
特許文献１には、略半筒状とされた両側一対のカバー部材１ａ・１ｂよりなり、該各カバー部材１ａ・１ｂはその長手方向に沿ってその一側がヒンジ２を介して開閉自在に連結されると共に、同他側が係着部材３・５を介して係着自在とされてなる電線補修用カバーであって、上記両側のカバー部材１ａ・１ｂ内周面にはその径方向に向けて弾性を有する所要数の縦突片８ａ・８ｂが各々対向状に突設されると共に、一方のカバー部材１ｂ内周面にはその長手方向に向けて該縦突片８ａ・８ｂに対応すべく横突片７が突設された構成よりなる、旨の記載がある。
【先行技術文献】
【特許文献】
【０００７】
【特許文献１】特開２００３−２６４９１７号公報
【発明の概要】
【発明が解決しようとする課題】
【０００８】
本発明は、このような問題を解決するためになされたものであり、その目的は、電線絶縁カバーの取付けにおける、カバー溝部を有する電線絶縁カバー本体と、相色別するため電線絶縁カバー本体に直接取付け可能な相色別部材と、当該相色別部材の取付けに専用工具を必要とせず、間接活線工具を共用して容易に取付け可能な施工方法とを提供する。
【課題を解決するための手段】
【０００９】
本発明の電線絶縁カバーは、間接活線工法における架空電線の接続部に間接活線工具により取付けられる電線絶縁カバーにおいて、交流の各相の識別を容易にするための電線絶縁カバーであって、電線絶縁カバーは、電線絶縁カバー本体と相色別部材とを有し、相色別部材は、それぞれ複数の種類に識別可能に着色された筒型本体を有し、筒型本体の長手方向には開口部を有し、開口部の両端には電線絶縁カバー本体をくわえ込むためのガイド部を有し、ガイド部と反対側の筒型本体の表面には間接活線工具用バンドを有し、電線絶縁カバー本体は、相色別部材のガイド部が接触して通過した後、相色別部材により把持されるカバー溝部を有し、間接活線工具により電線絶縁カバー本体が架空電線の接続部に取付けられ、且つ、相色別部材が電線絶縁カバー本体のカバー溝部に取付けられることを特徴とする。
【００１０】
本発明の電線絶縁カバーの施工方法は、間接活線工法における架空電線の接続部に間接活線工具により取付けられる電線絶縁カバーであって、交流の各相の識別を容易にするための電線絶縁カバーを取付ける施工方法において、電線絶縁カバーは、電線絶縁カバー本体と相色別部材とを有し、相色別部材は、それぞれ複数の種類に識別可能に着色された筒型本体を有し、筒型本体の長手方向には開口部を有し、開口部の両端には電線絶縁カバーをくわえ込むためのガイド部を有し、ガイド部と反対側の筒型本体の表面には間接活線工具用バンドを有し、電線絶縁カバー本体は、相色別部材のガイド部が接触して通過した後、相色別部材により把持されるカバー溝部を有し、間接活線工具により電線絶縁カバー本体が架空電線の接続部に取付けられるステップと、間接活線工具用バンドにより相色別部材を間接活線工具にセットするステップと、ガイド部を電線絶縁カバー本体のカバー溝部に合わせるステップと、間接活線工具により相色別部材を押付け、ガイド部をより開口させて、電線絶縁カバーをくわえ込むステップと、相色別部材が架空電線を完全にくわえ込むと、間接活線工具を間接活線工具用バンドから引き抜くステップと、を有することを特徴とする。
【発明の効果】
【００１１】
本発明によれば、電線絶縁カバーの取付けにおける、カバー溝部を有する電線絶縁カバー本体と、相色別するため電線絶縁カバー本体に直接取付け可能な相色別部材と、当該相色別部材の取付けに専用工具を必要とせず、間接活線工具を共用して容易に取付け可能な施工方法とを提供することができる。
【図面の簡単な説明】
【００１２】
【図１】本発明による相色別部材の構造を示す構造図。
【図２】本発明の電線絶縁カバーの施工方法示す施工工程図。
【図３】本発明の相色別部材の施工時及び施工完了時の斜視図。
【図４】従来の相色別を示す相色別施工斜視図。
【図５】テープ巻付け工具による巻付け工法を示す図。
【発明を実施するための形態】
【実施例】
【００１３】
本発明の実施の形態について、図を用いて説明する。図１は、本発明による相色別部材の構造を示す構造図である。図１において、電線絶縁カバーの相色別部材１０は、それぞれ複数の種類に識別可能に着色された筒型本体１２と、筒型本体１２の長手方向には開口部１４と、開口部１４の両端には電線絶縁カバー本体３０をくわえ込むためのガイド部１６とを有し、ガイド部１６と反対側の筒型本体１２の表面には間接活線工具４０（図２参照）にセットされる間接活線工具用バンド１８を有している。
【００１４】
相色別部材は、電線絶縁カバー本体３０をくわえ込むに十分な可撓性を有する部材であることが望ましい。このため、相色別部材は、着色した樹脂を射出成形することにより成形してもよい。着色は複数の種類に識別可能であれば、単色、複合色を問わない。開口部１４の開口と、ガイド部１６の形状は、複数の形状の電線絶縁カバー本体３０に対応してくわえ込めることが望ましい。また、間接活線工具用バンド１８には、取付け後、防護管を通す目的に使用してもよい。
【００１５】
図２は、本発明の電線絶縁カバーの施工方法示す施工工程図である。図２ａにおいて、電線絶縁カバー本体３０が、ヤットコ等の間接活線工具４０により、架空電線２０の接続部に取付けられた後、当該間接活線工具４０の先端爪部４２に、電線絶縁カバーの相色別部材１０の間接活線工具用バンド１８が差し込まれ、相色別部材１０がセットされる。続いて、反対側の先端爪部４２を電線絶縁カバー本体３０のカバー溝３２（図３ａ参照）に合わせて当て付けることにより、ガイド部１６が電線絶縁カバー本体３０の長手方向の面のカバー溝３２に合わせられる。このように、電線絶縁カバー本体３０には、電線絶縁カバーの相色別部材１０が容易に入り込むように、予め所定のカバー溝３２を設けられている（図３ａ参照）。
【００１６】
図２ｂにおいて、間接活線工具４０の先端爪部４２が、互いに閉じる方向に締め付けられると、相色別部材１０は電線絶縁カバー本体３０方向に押付けられる。これにより、ガイド部１６は、さらに開口されながら移動し、電線絶縁カバー本体３０をくわえ込んで行く。
【００１７】
図２ｃにおいて、相色別部材１０のガイド部１６がカバー溝３２に入り込んだ後、電線絶縁カバー本体３０を完全にくわえ込むと、開口部１４の開口は元の状態にまで閉じられ、電線絶縁カバー本体３０を所定の強度で把持する。続いて、間接活線工具４０の先端爪部４２が間接活線工具用バンド１８から引き抜かれて終了する。
【００１８】
図３は、本発明の相色別部材の施工時及び施工完了時の斜視図である。図３ａにおいて、電線絶縁カバー本体３０はカバー溝３２を具備している。このカバー溝３２に、先端爪部４２に相色別部材１０がセットされた間接活線工具４０の反対側の先端爪部４２が当て付けることにより、相色別部材１０のガイド部１６が電線絶縁カバー本体３０の長手方向の面のカバー溝３２に容易に合わせられる。図３ｂにおいて、相色別部材１０は、カバー溝３２に入り込み電線絶縁カバー本体３０を完全にくわえ込んで、開口部１４の開口が元の状態にまで閉じられ、電線絶縁カバー本体３０を所定の強度で把持している。
【００１９】
このように、電線絶縁カバー本体３０に予め所定のカバー溝３２を設けておくことにより、電線絶縁カバー本体３０と相色別部材１０のガイド部１６との位置合わせが容易となる。また、相色別部材１０がカバー溝３２内に収まることにより、相色別部材１０がずれて移動するという不具合が無くなると共に、電線絶縁カバー本体３０を所定の強度で把持しているため、ヒンジタイプの電線絶縁カバー本体３０に適用することにより、開き防止の効果が生じる。
【００２０】
以上説明したように本発明によれば、電線絶縁カバーの取付けにおける、カバー溝部を有する電線絶縁カバー本体と、相色別するため電線絶縁カバー本体に直接取付け可能な相色別部材と、当該相色別部材の取付けに専用工具を必要とせず、間接活線工具を共用して容易に取付け可能な施工方法とを提供することができる。また、相色別部材の筒型本体及びガイド部に所望のマージンを持たせることにより、複数の形状の電線絶縁カバーに適用可能となると共に、ヒンジタイプの電線絶縁カバーに適用することにより、電線絶縁カバーの開き防止が可能となる。
【符号の説明】
【００２１】
１０  相色別部材
１２  筒型本体
１４  開口部
１６  ガイド部
１８  間接活線工具用バンド
２０  架空電線
３０  電線絶縁カバー本体
３２  カバー溝
４０  間接活線工具
４２  先端爪部
５０  ビニルテープ
６０  電線引留具
７０  テープ巻付け工具
７１  回転ヘッド
７２  絶縁棒
７３  回転駆動部
８０  架空送電線
【図１】
2011193640.tif 000003
【図２】
2011193640.tif 000004
【図３】
2011193640.tif 000005
【図４】
2011193640.tif 000006
【図５】
2011193640.tif 000007